(57)【要約】【課題】一つのイメージを用いて電話番号を管理する場合、イメージの領域区分によって区分されたイメージ領域毎に対応付けられる電話番号を登録し、一つのイメージによって複数の電話番号を管理できるようにする移動端末機、及び移動端末機におけるイメージを用いた電話番号の管理方法を提供する。【解決手段】移動端末機は、一つ以上の領域にイメージを分割した後、分割された分割領域毎に対応付けられる電話番号管理情報の入力を受けて格納する。端末機ユーザが分割領域毎に電話番号が対応付けられているイメージから通話したい相手が属している分割領域を選択した後、通話要請を入力すると、選択された分割領域に対応付けられている電話番号を用いて発呼することができる。これにより、イメージの活用度を高めることができ、且つ端末機ユーザは、相手の顔を確認してから発呼／着呼することができるようになる。【選択図】図２
2010183579.tif 000002
【特許請求の範囲】
【請求項１】
イメージを表示するディスプレイ部と、
前記ディスプレイ部に表示されたイメージを一つ以上の領域に分割するイメージ分割部と、
前記イメージ分割部によって分割された分割領域毎に対応付けられる電話番号管理情報の入力を受けて前記分割領域に対応付けて前記電話番号管理情報を格納するメモリ部と、を備えることを特徴とする移動端末機。
【請求項２】
イメージを表示するディスプレイ部と、
前記イメージを第１の領域及び第２の領域を有する領域に分割するイメージ分割部と、
前記第１の領域に対応付けられる第１の電話番号管理情報の入力を受け、前記第１の電話番号管理情報を前記第１の領域に対応付けて格納し、前記第２の領域に対応付けられる第２の電話番号管理情報の入力を受け、前記第２の電話番号管理情報を前記第２の領域に対応付けて格納するメモリ部と、を備えることを特徴とする移動端末機。
【請求項３】
通話要請に応答して、前記第１の領域に対応付けられている前記第１の電話番号管理情報を用いて発呼を行う呼処理部をさらに備えることを特徴とする請求項２に記載の移動端末機。
【請求項４】
前記イメージ分割部は、
前記イメージを顔認識によって該イメージに含まれている各人別に自動分割することを特徴とする請求項２に記載の移動端末機。
【請求項５】
前記イメージ分割部は、
タッチスクリーンが実装されたディスプレイ部を介して端末機ユーザによって指定された分割領域に前記イメージを分割することを特徴とする請求項２に記載の移動端末機。
【請求項６】
前記イメージ分割部によって分割された各分割領域は、
前記イメージ上での固有のインデックス値を持つことを特徴とする請求項２に記載の移動端末機。
【請求項７】
前記呼処理部が発呼を行う間、前記第１の領域を際立たせるイメージ出力制御部をさらに備えることを特徴とする請求項３に記載の移動端末機。
【請求項８】
前記イメージ出力制御部は、
前記第１の領域を拡大し、または明るくして前記第１の領域を際立たせることを特徴とする請求項７に記載の移動端末機。
【請求項９】
送信要請に応答して、イメージ、前記イメージに対する分割領域情報、前記第１の電話番号管理情報、及び前記第２の電話番号管理情報を、通信網を介して他の移動端末機へ送信する通信部をさらに備えることを特徴とする請求項２に記載の移動端末機。
【請求項１０】
前記通信部は、前記イメージ、前記イメージに対する前記分割領域情報、前記第１の電話番号管理情報、及び前記第２の電話番号管理情報は、一つのファイルとして送信することを特徴とする請求項９に記載の移動端末機。
【請求項１１】
イメージを表示し、
前記表示されたイメージを一つ以上の領域に分割し、
前記分割された分割領域毎に対応付けられる電話番号管理情報の入力を受けて、前記分割領域に対応付けて前記電話番号管理情報をメモリ領域に格納すること、を含むことを特徴とする移動端末機におけるイメージを用いた電話番号の管理方法。
【請求項１２】
イメージを表示し、
前記イメージを第１の領域及び第２の領域を有する領域に分割し、
前記第１の領域及び前記第２の領域にそれぞれ対応付けられる第１の電話番号管理情報及び第２の電話番号管理情報の入力を受けて、
前記第１の電話番号管理情報を前記第１の領域に対応付けてメモリ領域に格納し、前記第２の電話番号管理情報を前記第２の領域に対応付けてメモリ領域に格納すること、を含むことを特徴とする移動端末機におけるイメージを用いた電話番号の管理方法。
【請求項１３】
前記イメージを他の移動端末機へ送信するよう要求する送信要請の入力を受け、
前記他の移動端末機の識別情報の入力を受けて、
前記イメージ、前記イメージに対する分割領域情報、前記第１の電話番号管理情報、及び前記第２の電話番号管理情報を、移動通信網を介して前記他の移動端末機へ送信すること、をさらに含むことを特徴とする請求項１２に記載の移動端末機におけるイメージを用いた電話番号の管理方法。
【請求項１４】
前記イメージ、前記イメージに対する前記分割領域情報、前記第１の電話番号管理情報、及び前記第２の電話番号管理情報は、一つのファイルとして送信することを特徴とする請求項１２に記載の電話番号の管理方法。
【請求項１５】
第１の電話番号管理情報に対応する第１の領域及び第２の電話番号管理情報に対応する第２の領域を有するイメージを表示し、
イメージを用いて発呼を行うイメージ発呼モードにおいてイメージを選択し、
前記第１の領域を選択し、
通話要請に応答して、前記第１の領域に対応付けられている電話番号を用いて発呼を行うこと、を含むことを特徴とする移動端末機におけるイメージを用いた発呼方法。
【請求項１６】
前記第１の領域に対応付けられている電話番号への発呼の際や、前記呼が維持される間、前記第１の領域を際立たせることをさらに含むことを特徴とする請求項１５に記載の移動端末機におけるイメージを用いた発呼方法。
【請求項１７】
移動端末機が第１の相手と繋がれている間にマルチコール要請が入力されると、
第１の電話番号管理情報に対応する第１の領域及び第２の電話番号管理情報に対応する第２の領域を有するイメージを表示し、
前記移動端末機が第１の相手と通話中にマルチコール要請を受けて、
前記第２の領域に対応する第２の相手が選択されると、
通話要請に応答して、前記第２の領域に対応付けられている電話番号を用いて発呼を行うこと、を含むことを特徴とする移動端末機におけるイメージを用いた発呼方法。
【請求項１８】
前記マルチコール要請に応答してマルチコールが繋がれた後、いずれかの回線を介して音声信号が受信されると、前記移動端末機が当該音声信号を受信する回線に対応する相手の分割領域を際立たせること、をさらに含むことを特徴とする請求項１７に記載の移動端末機におけるイメージを用いた発呼方法。
【請求項１９】
前記第２の相手が繋がれた回線を介して音声信号が受信されると、前記第２の領域を際立たせることをさらに含むことを特徴とする請求項１７に記載の移動端末機におけるイメージを用いた発呼方法。
【請求項２０】
前記移動端末機が前記イメージを表示するときに、前記第１の領域及び第２の領域を前記イメージと共に表示することを特徴とする請求項１５に記載の移動端末機におけるイメージを用いた発呼方法。
【発明の詳細な説明】
【技術分野】
【０００１】
本発明は、移動端末機及び移動端末機におけるイメージを用いた電話番号の管理方法に関する。より詳しくは、少なくとも二人以上が撮影されたイメージを用いて電話番号を管理する場合、イメージの領域区分によって一つのイメージを用いて複数人の電話番号を管理できるようにする移動端末機、及び移動端末機におけるイメージを用いた電話番号の管理方法に関する。
【背景技術】
【０００２】
移動端末機は、携帯と利用の便利性から現代人にとってなくてはならない必需品として老若男女を問わず使われており、サービスプロバイダや端末機製造メーカでは、他社との差別化のためにより一層便利な機能をもつ端末機を競って開発している。
【０００３】
例えば、移動端末機は、短縮ダイヤルキー（ｈｏｔｋｅｙ）を用いて端末機内に格納された電話番号を素早く検索して通話をかけることができるようにする機能を提供している。
【０００４】
前述したように、短縮ダイヤルキーを用いて電話番号を検索する場合、端末機ユーザは、検索したい電話番号に該当する短縮ダイヤルキーを予め知っておく必要があるが、各電話番号にマッピングされた短縮ダイヤル番号は、各電話番号との関連付けが不足しているため、ユーザが覚えにくいという問題点がある。
【０００５】
このような問題点を解決するために従来方式では、移動端末機に格納されているイメージを用いてイメージ毎に対応付けられる電話番号を登録した後、特定の相手と通話をしたい場合、端末機ユーザが通話したい相手が撮影されたイメージを選択して通話を要請すると、移動端末機が当該イメージに対応付けられている電話番号を用いて発呼するようにしていた。
【０００６】
しかしながら、従来方式の場合、一つのイメージ（例えば、一つのイメージに複数人が撮影されて含まれている場合）に対して複数の電話番号を登録させると、当該イメージに対応付けて登録した複数の電話番号がそれぞれ誰の電話番号であるのか区分できなくなるという問題が生じている。
【先行技術文献】
【特許文献】
【０００７】
【特許文献１】韓国公開特許第１０−２００７−００６５７５２号公報
【発明の概要】
【発明が解決しようとする課題】
【０００８】
本発明の目的は、一つのイメージによって複数の電話番号を管理できるようにする移動端末機、及び移動端末機におけるイメージを用いた電話番号の管理方法を提供することである。
【０００９】
本発明の他の目的は、端末機ユーザが一つのイメージから通話をしたい相手の電話番号に発呼できるようにする、移動端末機におけるイメージを用いた発呼方法を提供することである。
【課題を解決するための手段】
【００１０】
上記目的を達成するための本発明の一実施形態による移動端末機は、イメージを表示するディスプレイ部と、前記ディスプレイ部に表示されたイメージを一つ以上の領域に分割するイメージ分割部と、前記イメージ分割部によって分割された分割領域毎に対応付けられる電話番号管理情報の入力を受けて、前記分割領域に対応付けて前記電話番号管理情報を格納するメモリ部と、を備える。
【００１１】
また、本発明の他の実施形態による移動端末機は、イメージを表示するディスプレイ部と、前記イメージを第１の領域及び第２の領域を有する領域に分割するイメージ分割部と、前記第１の領域に対応付けられる第１の電話番号管理情報の入力を受け、前記第１の電話番号管理情報を前記第１の領域に対応付けて格納し、前記第２の領域に対応付けられる第２の電話番号管理情報の入力を受け、前記第２の電話番号管理情報を前記第２の領域に対応付けて格納するメモリ部と、を備える。
【００１２】
前記移動端末機は、イメージ発呼モードにおいて、前記ディスプレイ部に表示されている分割領域毎に電話番号が対応付けられているイメージのいずれか一つの分割領域が選択された後、通話要請が入力されると、選択された前記分割領域に対応付けられている電話番号を用いて発呼を行う呼処理部をさらに備えてもよい。
【００１３】
また、前記イメージ分割部は、前記ディスプレイ部に表示されている少なくとも二人以上が撮影されたイメージを顔認識によって各人別に自動分割してもよく、また、前記ディスプレイ部にタッチスクリーンが実装される場合、該タッチスクリーンを介して端末機ユーザによって指定された分割領域に前記イメージを分割してもよい。
【００１４】
前記イメージ分割部によって分割された各分割領域は、前記イメージ上での固有のインデックス値を持っていてもよい。
【００１５】
前記移動端末機は、前記呼処理部が前記選択された分割領域に対応付けられている電話番号を用いて発呼を行う間、通話相手を表示するために前記選択された分割領域を際立たせるイメージ出力制御部と、分割領域毎に電話番号が対応付けられているイメージを他の移動端末機へ送信するよう要求する送信要請が入力されると、端末機ユーザによって選択されたイメージ、前記選択されたイメージに対する分割領域情報及び分割領域毎に対応付けられている電話番号管理情報から構成される一つのファイルを、通信網を介して端末機ユーザから指定された他の移動端末機へ送信する通信部をさらに備えてもよい。
【００１６】
また、本発明の一実施形態による移動端末機におけるイメージを用いた電話番号の管理方法は、イメージを表示し、前記表示されたイメージを一つ以上の領域に分割し、前記分割された分割領域毎に対応付けられる電話番号管理情報の入力を受けて、前記分割領域に対応付けて前記電話番号管理情報をメモリ領域に格納すること、を含む。
【００１７】
また、本発明の他の実施形態による移動端末機におけるイメージを用いた電話番号の管理方法は、イメージを表示し、前記イメージを第１の領域及び第２の領域を有する領域に分割し、前記第１の領域及び前記第２の領域にそれぞれ対応付けられる第１の電話番号管理情報及び第２の電話番号管理情報の入力を受けて、前記第１の電話番号管理情報を前記第１の領域に対応付けてメモリ領域に格納し、前記第２の電話番号管理情報を前記第２の領域に対応付けてメモリ領域に格納すること、を含む。
【００１８】
また、本発明の一実施形態による移動端末機におけるイメージを用いた電話番号管理方法は、端末機ユーザから、前記電話番号管理情報を格納することにおいて分割領域毎に電話番号を対応付けたイメージを他の移動端末機へ送信するよう要求する送信要請の入力を受けて、前記他の移動端末機へ伝送し、前記分割領域毎に電話番号を対応付けたイメージの選択を受け、前記他の移動端末機の識別情報の入力を受けて、前記選択されたイメージ、前記選択されたイメージに対する分割領域情報、及び分割領域毎に対応付けられている電話番号管理情報から構成される一つのファイルを、通信網を介して前記他の移動端末機へ送信すること、をさらに含めてもよい。
【００１９】
また、本発明の一実施形態による移動端末機におけるイメージを用いた発呼方法は、イメージを用いて発呼を行うイメージ発呼モードにおいて、分割領域毎に電話番号が対応付けられているイメージが選択されると、選択されたイメージを表示し、前記表示されたイメージの分割領域から通話したい相手が属している分割領域が選択された後、通話要請が入力されると、前記選択された分割領域に対応付けられている電話番号を用いて発呼を行うこと、を含む。
【００２０】
また、本発明の一実施形態による移動端末機におけるイメージを用いた発呼方法は、第１の電話番号管理情報に対応する第１の領域及び第２の電話番号管理情報に対応する第２の領域を有するイメージを表示し、イメージを用いて発呼を行うイメージ発呼モードにおいてイメージが選択され、第１の領域が選択され、通話要請に応答して前記第１の領域に対応付けられている電話番号を用いて発呼を行うこと、を含む。
【００２１】
また、本発明の他の実施形態による移動端末機におけるイメージを用いた発呼方法は、移動端末機が第１の相手と通話を行う最中に端末機ユーザによってマルチコール要請が入力された後、分割領域毎に電話番号が対応付けられているイメージが選択されると、選択されたイメージを表示し、前記表示されたイメージの分割領域から通話したい第２の相手が属している分割領域が選択された後、通話要請が入力されると、前記移動端末機が前記選択された分割領域に対応付けられている電話番号を用いて発呼を行うこと、を含む。
【００２２】
また、本発明の他の実施形態による移動端末機におけるイメージを用いた発呼方法は、移動端末機が第１の相手と繋がれている間に端末ユーザによってマルチコール要請が入力されると、第１の電話番号管理情報に対応する第１の領域及び第２の電話番号管理情報に対応する第２の領域を有するイメージを表示し、前記第２の領域に対応する第２の相手が選択され、通話要請に応答して、前記第２の領域に対応付けられている電話番号を用いて発呼を行うこと、を含む。
【００２３】
また、本発明の他の実施形態による移動端末機におけるイメージを用いた発呼方法は、前記マルチコール要請に応答してマルチコールが繋がれた後、いずれかの回線を介して音声信号が受信されると、前記移動端末機が当該音声信号を受信する回線に対応する相手の分割領域を際立たせることをさらに含めてもよい。
【発明の効果】
【００２４】
本発明の移動端末機及び移動端末機におけるイメージを用いた電話番号の管理方法によれば、一つのイメージを用いて領域毎に複数の電話番号を管理し、イメージを用いて発呼を行うことができるため、イメージの活用度を高めることができ、且つ相手の顔を確認してから発呼／着呼することができるようになる。
【図面の簡単な説明】
【００２５】
【図１】本発明の一実施形態による移動端末機の構成を概略的に示す図である。
【図２】本発明の一実施形態による移動端末機においてイメージを用いた電話番号の管理方法を説明するためのフローチャートである。
【図３】本発明の一実施形態による三人が撮影されたイメージが分割されている状態を例示的に示す図である。
【図４】本発明の一実施形態による移動端末機においてイメージを用いた発呼方法を説明するためのフローチャートである。
【図５】本発明の他の実施形態による移動端末機においてイメージを用いた発呼方法を説明するためのフローチャートである。
【発明を実施するための形態】
【００２６】
以下、添付した図面を参照して本発明の好適な実施形態による移動端末機及び移動端末機においてイメージを用いた電話番号の管理方法について詳細に説明する。
【００２７】
図１は、本発明の一実施形態による移動端末機の構成を概略的に示す図である。
【００２８】
図１において、ディスプレイ部１０は、各種のデータ、例えば、必要な時に端末機ユーザが見ることができる移動端末機の各種状態、移動端末機により提供される情報、移動通信網を介して送信された文字メッセージ、入力部（図示せず）を介して入力された文字や数字を表示する。また、ディスプレイ部１０は、端末機のカメラ（図示せず）によって撮影されたイメージまたはメモリ部６０に格納されているイメージから端末機ユーザによって選択されるイメージを表示する。
【００２９】
イメージ分割部２０は、イメージを二つ以上の領域に分割する。例えば、イメージ分割部２０は、少なくとも二人以上が撮影されたイメージを対応する領域に分割する。それぞれの領域は、上記イメージにおける一人の顔をそれぞれ含んでもよい。前述したイメージ分割部２０は、ディスプレイ部１０に表示されている少なくとも二人以上が撮影されたイメージを顔認識方式によって各人別に自動的に分割してもよい。または、上記イメージ分割部２０は、イメージをユーザの入力によって分割してもよい。
【００３０】
例えば、イメージ分割部２０は、ディスプレイ部１０がタッチスクリーンを実装する場合には、タッチスクリーンを介して端末機ユーザから分割領域の指定を受けてイメージを分割してもよい。前述したように、イメージ分割部２０によって分割されたそれぞれの分割領域は、固有のインデックス値を持っていてもよい。ここで、上記用語「固有の」は、上記イメージの他の領域、またはメモリ部６０に格納されたイメージの他の領域、または他の端末機上に格納されたイメージの領域に対して区別されることを意味する。
【００３１】
電話番号登録部３０は、イメージ分割部２０によって分割された一つ以上の分割領域に対応付けられる電話番号管理情報（例えば、名前、電話番号、電子メールアドレスなど）の入力を受け、この電話番号管理情報をイメージ関連情報とともに構成してメモリ部６０に格納する。すなわち、端末機ユーザによって選択されたイメージ、選択されたイメージに関する分割領域情報、分割領域毎に対応付けられる電話番号管理情報を構成してメモリ部６０に格納する。端末機ユーザによって選択された一つのイメージ、選択されたイメージに関する分割領域情報、及び分割領域毎に対応付けられる電話番号管理情報は、一つのファイルとしてメモリ部６０に格納されてもよい。
【００３２】
そして、イメージを用いて発呼を行うイメージ発呼モードにおいて、ユーザがディスプレイ部１０に表示されているイメージのある一つの分割領域を選択した後（ここで、上記選択された分割領域は電話番号に対応付けられている）に通話要請が入力される場合（例えば、端末機ユーザが通話ボタンを押すなどの方式で通話要請を入力する場合）、呼処理部４０は、選択された分割領域に対応付けられている電話番号を用いて発呼を行う。
【００３３】
ここで、端末機ユーザがディスプレイ部１０に表示されているイメージから通話したい相手に対応するイメージ領域を選択するとき、端末機ユーザは、分割領域毎に持っている固有のインデックス値を入力するか、または、ディスプレイ部１０がタッチスクリーンを実装している場合、当該分割領域をタッチする方法などによって通話したい相手を選択してもよい。
【００３４】
同様な方式で、端末機ユーザは、電子メール、文字メッセージ、マルチメディアメッセージ、または類似の形態の電子通信を送りたい場合に、相手に対応する分割領域を選択することができる。
【００３５】
イメージ発呼モードにおいて、ディスプレイ部１０に分割領域を含むイメージが表示されるとき、イメージ出力制御部５０は、ディスプレイ部１０に表示されたイメージ上に分割領域を表示する。そして、イメージ発呼モードにおいて、端末機ユーザによって選択された分割領域に対応付けられている電話番号を用いて呼処理部４０において発呼を試みた呼が維持される間、イメージ出力制御部５０は、通話相手を表示するために端末機ユーザによって選択された分割領域を際立たせる（強調する）。ここで、分割領域を際立たせる方法としては、選択された分割領域を拡大し、選択された分割領域を明るくしそれ以外の領域を暗くする方法などがある。
【００３６】
また、イメージ出力制御部５０は、着呼され、着呼信号に含まれている発呼先電話番号に対応するイメージがメモリ部６０から読み出すために該イメージが検索される場合、イメージ出力制御部５０は、読み出されたイメージをディスプレイ部１０に表示する。ここで、読み出されたイメージが分割領域を含むイメージである場合、イメージ出力制御部５０は、発呼者を表示するために発呼先電話番号に対応付けられている分割領域を前述したような方法で際立たせてもよい。
【００３７】
また、イメージ出力制御部５０は、マルチコール時にも現在音声信号が受信される回線に対応する通話者の分割領域を際立たせてもよい。
【００３８】
メモリ部６０は、端末機の動作及び制御に必要な各種のプログラム及び本発明によるイメージを用いた電話番号の管理方法を実現するためのプログラムを格納している。このようなメモリ部６０には、端末機ユーザから入力された個人情報（例えば、電話番号、個人スケジュール、記念日、メモなど）及び各種のデータ、カメラ部（図示せず）によって獲得され、または移動通信網または近距離通信網を介して送信された複数のイメージが格納される。
【００３９】
端末機ユーザが、分割領域毎に電話番号が対応付けられているイメージを他の移動端末機（図示せず）に送信するよう要求する送信要請を入力する場合、通信部７０は、端末機ユーザによって選択されたイメージ、選択されたイメージに関する分割領域情報、及び分割領域毎に対応付けられている電話番号管理情報から構成できるファイルを、端末機ユーザによって指定された他の移動端末機（図示せず）宛てに移動通信網または近距離通信網を介して送信する。
【００４０】
説明の便宜上、本発明の一実施形態では、少なくとも二人以上が撮影されたイメージを各人別に分割して二つ以上の分割領域を生成する場合について例示的に説明している。しかしながら、本発明はこれに限定されるものではなく、移動端末機において用いられるイメージが必ずしも二人以上が撮影されたイメージである必要はない。例えば、移動端末機は、イメージの中から人が撮影された一部領域のみを分割し、該分割領域に、当該人に関する電話番号管理情報を一致させるようにしてもよい。また、移動端末機は、二つ以上のオブジェクト（例えば、人と建物）が撮影された一つのイメージの中からそれぞれのオブジェクト（例えば、人部分と建物部分）を別途の領域に分割した後、該分割領域毎に電話番号管理情報（例えば、人の電話番号と建物内のオフィスや仕事の電話番号）をそれぞれ登録してもよい。
【００４１】
図２は、本発明の一実施形態による移動端末機においてイメージを用いた電話番号の管理方法を説明するためのフローチャートである。
【００４２】
先ず、端末機ユーザがメモリ部６０に格納されているイメージを選択すると、移動端末機のディスプレイ部１０が、選択されたイメージを表示する（Ｓ１０）。
【００４３】
次いで、イメージ分割部２０が、ディスプレイ部１０に表示されているイメージを端末機ユーザの要求に応じて、または自動的に、図３に示すように、少なくとも二つ以上の領域に分割する（Ｓ１１）。
【００４４】
上記ステップＳ１１においてイメージ分割部２０は、顔認識方式によってイメージに含まれている各人別にイメージを自動分割し、または、ディスプレイ部１０にタッチスクリーンが実装される場合には、タッチスクリーンを用いて端末機ユーザから分割領域の指定を受けてイメージを分割してもよい。
【００４５】
上記ステップＳ１１において分割されたそれぞれの分割領域は、固有のインデックス値を持っていてもよい。
【００４６】
上記ステップＳ１１においてイメージが少なくとも二つ以上に分割された後、電話番号登録部３０は、少なくともいずれか一つの分割領域（図３のａ、ｂ、ｃ）に対応付けられる電話番号管理情報（例えば、名前、電話番号、電子メールアドレスなど）の入力を受け、これをイメージ関連情報（例えば、上記ステップＳ１０において選択されたイメージ及び選択されたイメージに関する分割領域情報）とともに構成してメモリ部６０に格納する（Ｓ１２）。これらの情報は、前述したようにメモリ部６０に一つのファイルで構成されて格納されていてもよい。
【００４７】
図３は、本発明の一実施形態に従い三人が撮影されたイメージが分割されている状態を例示的に示す図である。前述したように、三人が撮影されたイメージは、三つの領域（図３のａ、ｂ、ｃ）に分割してもよい。電話番号登録部３０は、それぞれの分割領域ａ、ｂ、ｃに対応付けられる電話番号管理情報（例えば、名前、電話番号、電子メールアドレスなど）の入力を受ける。
【００４８】
上記ステップＳ１２において、電話番号登録部３０は、少なくとも一つの分割領域に対応付けられる電話番号管理情報を端末機ユーザから新たに受けてメモリ部６０に格納し、または、メモリ部６０に既に格納されている電話番号を当該イメージ領域に対応付けてメモリ部６０に格納してもよい。
【００４９】
端末機ユーザは、前述した一連のステップによって分割領域毎に電話番号を対応付けさせたイメージを他の移動端末機へ送信するために、送信要請を入力し（Ｓ１３）、他の移動端末機へ送信するイメージ（分割領域毎に電話番号を対応付けさせたイメージ）を選択した後（Ｓ１４）、分割領域毎に電話番号を対応付けさせたイメージの送信先の他の移動端末機の識別情報を入力する（Ｓ１５）。このような場合、通信部７０は、端末機ユーザにより選択されたイメージ、選択されたイメージに関する分割領域情報、及び分割領域毎に対応付けられている電話番号管理情報から構成される一つのファイルを、移動通信網または近距離通信網を介して端末機ユーザが指定した他の移動端末機へ送信する（Ｓ１６）。
【００５０】
上記ステップＳ１６において分割領域毎に電話番号を対応付けさせたイメージを受信した他の移動端末機では、受信したイメージを見たり、メモリ領域に格納しておき、後でイメージを用いた発呼に用いることができる。
【００５１】
図４は、本発明の一実施形態による移動端末機においてイメージを用いた発呼方法を説明するためのフローチャートである。
【００５２】
先ず、イメージを用いて発呼を行うイメージ発呼モードにおいて、端末機ユーザによって分割領域毎に電話番号が対応付けられているイメージが選択されると、移動端末機が選択されたイメージをディスプレイ部１０に表示し、このとき、図３に示すように、選択されたイメージ上に分割領域を表示する（Ｓ２０）。
【００５３】
次いで、移動端末機は、上記ステップＳ２０において表示されたイメージの分割領域から通話したい相手が属している分割領域（例えば、図３の分割領域ｃ）の選択を受ける（Ｓ２２）。その後、通話要請があれば（Ｓ２４）、呼処理部４０が、上記ステップＳ２２において選択された分割領域（例えば、図３の分割領域ｃ）に対応付けられている電話番号または他のコンタクト情報を用いて発呼を行う（Ｓ２６）。
【００５４】
上記ステップＳ２６において呼処理部４０が選択された分割領域に対応付けられている電話番号に対する発呼を試みた呼が維持される間、イメージ出力制御部５０は、通話相手を表示するために上記ステップＳ２２において選択された分割領域（例えば、図３の分割領域ｃ）を拡大させるか、または選択された分割領域（例えば、図３の分割領域ｃ）を明るくしそれ以外の領域は暗くすることにより、通話相手を際立たせる（Ｓ２８）。
【００５５】
図５は、本発明の他の実施形態による移動端末機においてイメージを用いた発呼方法を説明するためのフローチャートである。
【００５６】
先ず、移動端末機が第１の相手と通話中に（Ｓ３０）、端末機ユーザからマルチコールを行いたい旨の要請が入力された後（Ｓ３１）、分割領域毎に電話番号が対応付けられているイメージが選択されると（Ｓ３２）、選択されたイメージをディスプレイ部１０に表示し、このとき、図３に示すように、選択されたイメージ上に分割領域を表示する（Ｓ３３）。
【００５７】
次いで、移動端末機は、上記ステップＳ３３において表示されたイメージの分割領域から通話したい第２の相手が属している分割領域の選択を受ける（Ｓ３４）。その後、通話要請が入力されると（Ｓ３５）、呼処理部４０が上記ステップＳ３４において選択された分割領域に対応付けられている電話番号を用いて発呼を行う（Ｓ３６）。
【００５８】
上記一連のステップによってマルチコールが繋がった後、いずれかの回線を介して音声信号が受信されると、移動端末機が現在音声信号を受信する回線に対応する相手の分割領域を拡大させるか、または選択された分割領域を明るくしそれ以外の領域は暗くすることにより、現在繋がっている通話相手を際立たせる（Ｓ３７）。
【００５９】
本発明の移動端末機及び移動端末機においてイメージを用いた電話番号の管理方法は、前述した実施形態に限定されず、本発明の技術思想が許容する範囲内で種々に変形して実施することができる。
【符号の説明】
【００６０】
１０：ディスプレイ部
２０：イメージ分割部
３０：電話番号登録部
４０：呼処理部
５０：イメージ出力制御部
６０：メモリ部
７０：通信部
【図１】
2010183579.tif 000003
【図２】
2010183579.tif 000004
【図３】
2010183579.tif 000005
【図４】
2010183579.tif 000006
【図５】
2010183579.tif 000007